(57)【要約】【課題】地震動等により外装板が落下することを防止できる乗客コンベア装置の提供。【解決手段】建築構造物の一方の床（１）と他方の床（２）との間に架設される本体枠３と、この本体枠３の側部に取付けられ、この側部を覆う複数の外装板７とを設けた乗客コンベア装置において、外装板７の裏面側に、外装板７同士を連結する連結機構９（例えば、外装板７の裏面に取付けられる環状体９ａ及び環状体９ａに挿通される索状体９ｂ）を有する。【選択図】  図３
2016011187.tif 000002
【特許請求の範囲】
【請求項１】
建築構造物の一方の床と他方の床との間に架設される本体枠と、前記本体枠の側部に取付けられ、前記側部を覆う複数の外装板とを有する乗客コンベア装置において、
前記外装板の裏面側に、前記外装板同士を連結する連結機構を有することを特徴とする乗客コンベア装置。
【請求項２】
前記連結機構は、前記外装板の裏面に取付けられる環状体と、前記環状体に挿通される索状体とで構成されることを特徴とする請求項１に記載の乗客コンベア装置。
【請求項３】
前記索状体は、その一部が前記本体枠に係合されることを特徴とする請求項２に記載の乗客コンベア装置。
【請求項４】
前記連結機構は、前記外装板の裏面端部に取付けられるブラケットと、隣接する前記ブラケット同士を連結する連結部材とで構成されることを特徴とする請求項１に記載の乗客コンベア装置。
【発明の詳細な説明】
【技術分野】
【０００１】
本発明は、乗客コンベア装置に関する。
【背景技術】
【０００２】
エスカレータに代表される乗客コンベア装置は、建築構造物である上階床と下階床を上下に跨ぐように設置されており、上階床と下階床を上下に跨ぐ本体枠の上には無端状に連結された複数のステップが上階と下階とに亘って斜め上方、或いは斜め下方に循環移動する構成となっている。また、無端状に連結された複数のステップの進行方向に沿って左右両側には一対の欄干が立設されている。さらに、これら一対の欄干の上部にはステップと同期して走行するハンドレールがそれぞれ配設されている。
【０００３】
このような乗客コンベア装置を上階床と下階床で支持する支持機構部は、乗客コンベア装置の本体枠の両終端に備えられた本体枠側受梁（例えば支持アングル）を建築構造物に形成した建屋側受梁（例えばアングル受台）によって支承する構成となっている。よって、乗客コンベア装置自身の重量と乗客や荷物等の積載荷重はこの支持機構部によって支えられるようになっている。そして、近年、少なくとも一方の支持機構部に滑動構造を設け、地震動等で大きな層間変位が発生して本体枠と建築構造物の上階床、或いは下階床との間隔が過大になったり、逆に過小になった場合、本体枠の長手方向の移動に追従可能とした耐震構造の乗客コンベア装置が採用されている。
【０００４】
そして、本体枠の側部には、特許文献１に示すように、この側部を覆う外装板が取付けられていると共に、本体枠の両終端に位置する外装板は、その端部が建築構造物の上階床及び下階床に当接するようにして設けられている。
【先行技術文献】
【特許文献】
【０００５】
【特許文献１】特開平７−２２８４６２号公報
【発明の概要】
【発明が解決しようとする課題】
【０００６】
ところで、耐震構造の乗客コンベア装置では、地震動等で建築構造物の上階床と下階床との間で層間変位が発生した場合、本体枠の長手方向の移動に追従可能としてあるが、本体枠の側部を覆う外装板のことは考慮されておらず、特に、層間変位により圧縮方向に大きな力が作用したときに、本体枠に取付けられる外装板は、建築構造物の上階床と下階床との間で大きな力を受け、破損して落下する虞があった。
【０００７】
本発明は、前述した従来技術における実状からなされたもので、その目的は、地震動等により外装板が落下することを防止できる乗客コンベア装置を提供することにある。
【課題を解決するための手段】
【０００８】
前記目的を達成するために、本発明は、建築構造物の一方の床と他方の床との間に架設される本体枠と、前記本体枠の側部に取付けられ、前記側部を覆う複数の外装板とを有する乗客コンベア装置において、前記外装板の裏面側に、前記外装板同士を連結する連結機構を有することを特徴としている。
【発明の効果】
【０００９】
本発明によれば、外装板の裏面側に、外装板同士を連結する連結機構を設けたことにより、地震動等で建築構造物の一方の床と他方の床との間で層間変位が発生し、床からの力を外装板が受けて破損した際、破損した外装板は連結機構により他の外装板により保持され、落下を防ぐことができる。これによって、簡易な構造で乗客コンベア装置の安全性の向上を図ることができる。また、連結機構は外装板の裏面側に配置されるものであることから、意匠性が低下することもない。
【図面の簡単な説明】
【００１０】
【図１】乗客コンベア装置の概略構成図である。
【図２】本発明に係る乗客コンベア装置の第１の実施例を示し、図１のＡ‐Ａ線に沿う断面図である。
【図３】図２のＢから見た要部斜視図である。
【図４】本発明に係る乗客コンベア装置の第２の実施例を示す要部斜視図である。
【発明を実施するための形態】
【００１１】
本発明の実施例を、図面を参照しながら説明する。尚、各図および各実施例において、同一又は類似の構成要素には同じ符号を付し、説明を省略する。
【実施例１】
【００１２】
第１の実施例の乗客コンベア装置は、図１に示すように、例えば、建築構造物である上階床１と下階床２を上下に跨ぐように設置されるエスカレータであり、上階床１と下階床２を上下に跨ぐ本体枠３上には無端状に連結された複数のステップ４が上階と下階とに亘って斜め上方、或いは斜め下方に循環移動する構成となっている。無端状に連結された複数のステップ４の進行方向に沿って左右両側には一対の欄干５が立設されている。これら一対の欄干５の上部にはステップ４と同期して走行するハンドレール６がそれぞれ配設されている。
【００１３】
また、本体枠３の側部には、図２に示すように、この側部を覆う外装板７がブラケット８を介して取付けられている。なお、この乗客コンベア装置は、例えば、本体枠３の下部支持機構部に滑動構造が設けられ、地震などで上階床１と下階床２との間で層間変位が発生した際、本体枠３の長手方向の移動に追従可能となっている。
【００１４】
そして、このような建築構造物の一方の床と他方の床との間に架設される本体枠３と、本体枠３の側部に取付けられ、側部を覆う複数の外装板７とを有する乗客コンベア装置において、第１の実施例の乗客コンベア装置は、地震動等による層間変位により外装板７が落下することを防止するために工夫が施されている。具体的には、外装板７の裏面側に、外装板７同士を連結する連結機構９を設けている。この連結機構９は、外装板７の裏面に取付けられる環状体９ａと、この環状体９ａに挿通される索状体９ｂ（例えばワイヤ９ｂなど）とで構成されている。また、索状体９ｂは、本体枠３の全長に亘り延設されるものであると共に、その両端が本体枠３に係合されている。
【００１５】
第１の実施例にあっては、例えば、地震動によって建築構造物の上階床１と下階床２との間隔が狭まる方向、いわゆる圧縮方向に層間変位が発生すると、本体枠３の下部支持機構部に設けられた滑動構造により、本体枠３はその長手方向に移動するが、上階床１の受梁と下階床２の受梁との間で外装板７は圧縮される。この圧縮力が大きい場合、外装板７は破損する。この時、ブラケット８による本体枠３への係合が解除された状態となった外装板７は落下しようとする。しかしながら、当該外装板７は索状体９ｂを介して他の外装板７や本体枠３により保持され、落下を防ぐことができる。
【００１６】
これによって、簡易な構造で乗客コンベア装置の安全性の向上を図ることができる。また、連結機構９は外装板７の裏面側に配置されるものであることから、意匠性が低下することもない。
【００１７】
また、連結機構９を、外装板７の裏面に取付けられる環状体９ａと、この環状体９ａに挿通される索状体９ｂとから構成することにより、本体枠３の全長に亘り外装板７を互いに連結することができ、外装板７が破損した際、確実に落下を防止することができる。
【００１８】
さらに、索状体９ｂの一部、例えば両端を本体枠３に係合することにより、例えば、複数の外装板７が破損して本体枠３から外れ、大きな荷重を索状体９ｂが受けるような状況にも対応することができる。
【実施例２】
【００１９】
次に、本発明に係る乗客コンベア装置の第２の実施例を図４に基づき説明する。
【００２０】
第２の実施例の乗客コンベア装置では、連結機構１９は、外装板７の裏面端部に取付けられるブラケット１９ａと、隣接するブラケット１９ａ同士を連結する連結部材（例えばチェーンなど）１９ｂとで構成されている。
【００２１】
第２の実施例によれば、前述したものと同様に、地震動等で建築構造物の上階床１と下階床２との間で層間変位が発生し、床からの力を外装板７が受けて破損した際、破損した外装板７は連結機構１９により隣接する外装板７により保持され、落下を防ぐことができる。
【００２２】
また、連結機構１９は、外装板７の裏面端部に取付けられるブラケット１９ａと、隣接するブラケット１９ａ同士を連結する連結部材１９ｂとから構成することにより、より簡易な構造で隣接する外装板７同士を連結することができる。
【００２３】
以上、本発明の実施例を説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いても良い。
【符号の説明】
【００２４】
１  上階床
２  下階床
３  本体枠
４  ステップ
５  欄干
６  ハンドレール
７  外装板
８  ブラケット
９  連結機構
９ａ  環状体
９ｂ  索状体（ワイヤ）
１９  連結機構
１９ａ  ブラケット
１９ｂ  連結部材（チェーン）
【図１】
2016011187.tif 000003
【図２】
2016011187.tif 000004
【図３】
2016011187.tif 000005
【図４】
2016011187.tif 000006